(57)【特許請求の範囲】
【請求項１】
複数の機種からなる複数の遊技機が設置される遊技場において、当該複数の遊技機の遊技データを管理するための遊技場用システムであって、
遊技者が遊技機にて遊技する場合に、当該遊技者の識別情報を取得する識別情報取得手段と、
前記識別情報取得手段が取得した前記遊技者の識別情報を記憶する識別情報記憶手段と、
遊技機から出力される遊技信号の入力に基づいて遊技機毎の遊技データを算出する遊技データ算出手段と、
前記遊技データ算出手段が算出した遊技データに前記遊技者の識別情報を対応付けて記憶する遊技データ記憶手段と、
前記識別情報取得手段が取得した２以上の識別情報が同一人物の識別情報であるか否かを判定する同一人物判定手段と、
前記同一人物判定手段の判定結果に基づいて、複数日に渡って機種毎に遊技者毎の遊技頻度を判定する機種別遊技頻度判定手段と、
前記機種別遊技頻度判定手段が判定した遊技頻度に応じて機種毎に遊技者を区分する機種別遊技頻度区分手段と、
前記機種別遊技頻度区分手段が区分した区分毎に遊技者の人数を集計する集計手段と、
前記集計手段の集計結果を出力する出力手段と、
前記機種別遊技頻度判定手段が判定した遊技頻度が多い区分の遊技者の人数が減少した場合に、その旨を遊技場側に報知する報知手段と、を備えたことを特徴とする遊技場用システム。
【請求項２】
前記識別情報取得手段は、カメラであり、前記識別情報は前記カメラが撮像した遊技者の画像であることを特徴とする請求項１に記載した遊技場用システム。
【請求項３】
複数の機種からなる複数の遊技機が設置される遊技場において、当該複数の遊技機の遊技データを管理するための遊技場用システムであって、
遊技者を識別可能な識別情報を記録する識別情報記録媒体と、
各遊技機に対応して設けられ、前記識別情報記録媒体が記録する識別情報を読出す識別情報読出手段と、
遊技機から出力される遊技信号の入力に基づいて遊技機毎の遊技データを算出する遊技データ算出手段と、
前記遊技データ算出手段が算出した遊技データに前記遊技者の識別情報を対応付けて記憶する遊技データ記憶手段と、
前記識別情報読出手段が読出した２以上の識別情報が同一人物の識別情報であるか否かを判定する同一人物判定手段と、
前記同一人物判定手段の判定結果に基づいて、複数日に渡って機種毎に遊技者毎の遊技頻度を判定する機種別遊技頻度判定手段と、
前記機種別遊技頻度判定手段が判定した遊技頻度に応じて機種毎に遊技者を区分する機種別遊技頻度区分手段と、
前記機種別遊技頻度区分手段が区分した区分毎に遊技者の人数を集計する集計手段と、
前記集計手段の集計結果を出力する出力手段と、
前記機種別遊技頻度判定手段が判定した遊技頻度が多い区分の遊技者の人数が減少した場合に、その旨を遊技場側に報知する報知手段を備えたことを特徴とする遊技場用システム。
【発明の詳細な説明】
【技術分野】
【０００１】
本発明は、複数の機種からなる複数の遊技機が設置される遊技場において、当該複数の遊技機の遊技データを管理するための遊技場用システムに関する。
【背景技術】
【０００２】
遊技場では、機種毎の稼動データを算出して出力しており、その稼動データは遊技場の管理者が機種毎の傾向、特性、人気等を把握するのに活用されている（例えば特許文献１参照）。
【先行技術文献】
【特許文献】
【０００３】
【特許文献１】特開昭５９−０６９７８３号公報
【発明の概要】
【発明が解決しようとする課題】
【０００４】
遊技場の管理者は、これらの稼動データに基づいて、導入する機種や撤去する機種を決定している。例えば新機種の導入は遊技者を呼び込む宣伝効果があるために頻繁に行われているが、新機種の導入と同時に同じ台数の遊技機を撤去する必要があるので、稼動時間の低い機種を撤去候補として抽出し、新機種の導入と同時に撤去候補の遊技機を撤去するという手法が一般的に行われている。又、全てを撤去せずに減台することもある。
【０００５】
ところで、遊技者の中には特定の機種を好んで遊技する遊技者（固定客）もいれば、様々な機種を好んで遊技する遊技者もいる。前者の場合、その機種が全て撤去されると、その遊技場に来なくなる可能性があるが、後者の場合、前者と比較すると、その可能性は低い。又、機種毎の平均稼動時間が同じであっても、固定客がどれくらいの割合を占めるかによって、減台した場合の平均稼動時間に差が生じると考えられる。しかしながら、現在のシステムでは機種毎の固定客数を把握することは困難である。
【０００６】
本発明は、上記した事情に鑑みてなされたものであり、その目的は、機種毎の固定客数を算出することで、撤去候補の機種を分析するに際して必要な情報を提供することを可能とする遊技場用システムを提供することにある。
【課題を解決するための手段】
【０００７】
請求項１に記載した遊技場用システムは、複数の機種からなる複数の遊技機が設置される遊技場において、当該複数の遊技機の遊技データを管理するための遊技場用システムであって、遊技者が遊技機にて遊技する場合に、当該遊技者の識別情報を取得する識別情報取得手段と、前記識別情報取得手段が取得した前記遊技者の識別情報を記憶する識別情報記憶手段と、遊技機から出力される遊技信号の入力に基づいて遊技機毎の遊技データを算出する遊技データ算出手段と、前記遊技データ算出手段が算出した遊技データに前記遊技者の識別情報を対応付けて記憶する遊技データ記憶手段と、前記識別情報取得手段が取得した２以上の識別情報が同一人物の識別情報であるか否かを判定する同一人物判定手段と、前記同一人物判定手段の判定結果に基づいて、複数日に渡って機種毎に遊技者毎の遊技頻度を判定する機種別遊技頻度判定手段と、前記機種別遊技頻度判定手段が判定した遊技頻度に応じて機種毎に遊技者を区分する機種別遊技頻度区分手段と、前記機種別遊技頻度区分手段が区分した区分毎に遊技者の人数を集計する集計手段と、前記集計手段の集計結果を出力する出力手段と、前記機種別遊技頻度判定手段が判定した遊技頻度が多い区分の遊技者の人数が減少した場合に、その旨を遊技場側に報知する報知手段と、を備えたことを特徴とする。
【０００９】
請求項２に記載した遊技場用システムは、前記識別情報取得手段は、カメラであり、前記識別情報は前記カメラが撮像した遊技者の画像であることを特徴とする。
請求項３に記載した遊技場用システムは、複数の機種からなる複数の遊技機が設置される遊技場において、当該複数の遊技機の遊技データを管理するための遊技場用システムであって、遊技者を識別可能な識別情報を記録する識別情報記録媒体と、各遊技機に対応して設けられ、前記識別情報記録媒体が記録する識別情報を読出す識別情報読出手段と、遊技機から出力される遊技信号の入力に基づいて遊技機毎の遊技データを算出する遊技データ算出手段と、前記遊技データ算出手段が算出した遊技データに前記遊技者の識別情報を対応付けて記憶する遊技データ記憶手段と、前記識別情報読出手段が読出した２以上の識別情報が同一人物の識別情報であるか否かを判定する同一人物判定手段と、前記同一人物判定手段の判定結果に基づいて、複数日に渡って機種毎に遊技者毎の遊技頻度を判定する機種別遊技頻度判定手段と、前記機種別遊技頻度判定手段が判定した遊技頻度に応じて機種毎に遊技者を区分する機種別遊技頻度区分手段と、前記機種別遊技頻度区分手段が区分した区分毎に遊技者の人数を集計する集計手段と、前記集計手段の集計結果を出力する出力手段と、前記機種別遊技頻度判定手段が判定した遊技頻度が多い区分の遊技者の人数が減少した場合に、その旨を遊技場側に報知する報知手段と、を備えたことを特徴とする。
【発明の効果】
【００１０】
請求項１に記載した遊技場用システムによれば、複数日に渡って機種毎に遊技者毎の遊技頻度を判定し、その判定した遊技頻度に応じて機種毎に遊技者を区分し、その区分した区分毎に遊技者の人数を集計して出力するようにしたので、機種毎の固定客数（特定の機種を好んで遊技する遊技者の人数）を把握することができ、撤去候補の機種を分析するに際して必要な情報を提供することができる。即ち、遊技データとして例えば一日あたりの打込玉数が低下した機種がある場合に、その打込玉数が低下した機種を全て撤去するのか、又は直感に頼って一部の遊技機を撤去するのではなく、その打込玉数が低下した機種の全ての台数のうち適切な台数だけを撤去する等、適切に対応することができる。
【００１１】
又、遊技頻度が多い区分の遊技者の人数が減少した場合に、その旨を遊技場側に報知するので、固定客が減少したことに対して迅速に対応することができる。
【００１２】
請求項２に記載した遊技場用システムによれば、遊技者を撮像した画像に基づいて遊技者を識別するので、例えば指紋や静脈に基づいて遊技者を識別する場合とは異なり、遊技者の意図とは関係なく遊技者を識別することができる。又、識別情報取得手段であるカメラを遊技者から隠蔽する構成であれば、遊技場側にて遊技者を識別していることを遊技者に意識させなくすることもでき、遊技者を不快にさせることなく、遊技者を識別することができる。
【００１３】
請求項３に記載した遊技場用システムによれば、上記した請求項１に記載したものと同様に、複数日に渡って機種毎に遊技者毎の遊技頻度を判定し、その判定した遊技頻度に応じて機種毎に遊技者を区分し、その区分した区分毎に遊技者の人数を集計して出力するようにしたので、機種毎の固定客数を把握することができ、撤去候補の機種を分析するに際して必要な情報を提供することができる。又、この場合は、遊技者を識別可能な識別情報を記録する識別情報記録媒体から識別情報を読出し、その読出した２以上の識別情報に基づいて同一人物であるか否かを判定するようにしたので、上記した請求項２に記載したような識別情報取得手段であるカメラを設ける必要がなく、しかも、複雑な画像処理を行う必要もなく、安価な構成で且つ簡単な処理で実現することができる。又、遊技頻度が多い区分の遊技者の人数が減少した場合に、その旨を遊技場側に報知するので、固定客が減少したことに対して迅速に対応することができる。
【図面の簡単な説明】
【００１４】
【図１】本発明の一実施形態を示す全体構成図
【図２】顔認証処理を示すフローチャート
【図３】遊技履歴作成処理を示すフローチャート
【図４】当日辞書を示す図
【図５】総合辞書を示す図
【図６】固定客数データを示す図
【図７】固定客データ（前月累計アウト上位順）を示す図
【図８】遊技者別増加アウトを示す図
【図９】稼動貢献客一覧を示す図
【図１０】利益貢献客一覧を示す図
【図１１】稼動貢献客人気機種を示す図
【図１２】利益貢献客人気機種を示す図
【発明を実施するための形態】
【００１５】
以下、本発明の一実施形態について、図面を参照して説明する。図１は、遊技場用システムの全体構成を概略的に示している。遊技場には遊技機（パチンコ機）１に対応して貸出装置２（本発明でいう識別情報読出手段に相当）が設置され、遊技場内の管理室には管理装置３（本発明でいう識別情報記憶手段、遊技データ算出手段、遊技データ記憶手段、同一人物判定手段、機種別遊技頻度判定手段、機種別遊技頻度区分手段、集計手段、出力手段、報知手段に相当）が設置されている。中継装置４は、２台の遊技機１、２台の貸出装置２及び管理装置３とＬＡＮ５を介して接続されている。管理装置３は、遊技機１側（遊技機１及び貸出装置２等）から出力される遊技信号を中継装置４を介して入力して遊技機１毎の遊技データを管理する。尚、中継装置４は、計数機（図示せず）や景品交換装置（図示せず）ともＬＡＮ５を介して接続されている。
【００１６】
管理対象となる遊技機１は、発射装置を構成する操作ハンドル６に対する操作により盤面７に発射した玉が始動口８に入賞（始動入賞）するのに応じて大当たり抽選を行い、抽選結果を表示部９において行う図柄変動にて報知し、その変動結果に応じて大当たり状態となる。大当たりが発生すると１５ラウンド（Ｒ）分だけ大入賞口１０を開放する。入賞により払出された玉は上部受皿１１にて受けられ、上部受皿１１が満杯状態となって溢れた玉は下部受皿１２にて受けられる。尚、１Ｒの上限入賞数は１０個であり、上限開放時間は３０秒であり、上限入賞数又は上限開放時間の何れかが満たされた場合に１Ｒを終了する。
【００１７】
遊技機１側からは、次の遊技信号が出力される。
「アウト信号」：使用玉（使用媒体）を回収するアウトＢＯＸから出力される使用玉数（アウト）を特定可能な信号である。回収（使用、打込）玉１０玉に対して１パルスが出力されるので、「アウト信号数×１０」をアウトとして特定する。尚、遊技機１から出力される信号であっても良い。
「セーフ信号」：遊技機１から出力される払出玉数（セーフ、払出媒体数）を特定可能な信号である。遊技機１での遊技（入賞）に応じた払出１０玉に対して１パルスが出力されるので、「セーフ信号数×１０」をセーフとして特定する。尚、補給装置から出力される補給信号をセーフ信号としても良い。
【００１８】
「スタート信号」：遊技機１から出力される図柄変動数（役物作動数、スタート）を特定可能な信号である。始動口８への入賞により変動（作動）する表示部９における図柄変動（役物作動、スタート処理）１回につき１パルスが出力されるので、「スタート信号数×１」をスタートとして特定する。尚、始動口８への入賞に応じて出力される始動入賞信号をスタート信号としても良い。
【００１９】
「大当たり信号」：遊技機１から出力される大当たりを特定可能な信号である。大当たり中にレベル出力される状態信号なので、大当たり信号入力中を大当たり中として特定する。
「特別状態信号」：遊技機１から出力される特別状態を特定可能な信号である。大当たり確率が向上する確変中等の大当たりを通常状態よりも発生させ易い状態である特別状態中にレベル出力される状態信号（確変信号）なので、特別状態信号入力中を特別状態中（甘中又は甘モード）として特定する。尚、確変中だけでなく、始動口８への入賞率が向上する時短中にもレベル出力される。
【００２０】
「売上信号」：貸出装置２から出力される売上情報（売上玉数、売上額）を特定可能な信号である。遊技者に対する有価価値を対価とした貸出玉２５玉毎に１パルスが出力されるので、「売上信号数×２５」を売上玉数として特定し、「売上玉数×貸単価」を売上額として特定する。
「再プレイ信号」：貸出装置２から出力される再プレイ玉（再遊技媒体）数を特定可能な信号である。遊技者に対する貯玉を対価とした再プレイ玉２５玉毎に１パルスが出力されるので、「再プレイ信号数×２５」を再プレイ玉数として特定する。
【００２１】
貸出装置２は所謂ＣＲサンドとして構成されており、以下の機能を有する。
（１）遊技者を特定可能な固有の遊技者ＩＤ（遊技者を識別可能な識別情報）が記録された会員カード１３（本発明でいう識別情報記録媒体に相当）をカード挿入口１４にて受付可能である。会員カード１３の他にビジターカード（ＩＣ持玉券）をもカード挿入口１４にて受付可能である。
（２）会員カード１３等のカードの挿入状態により貯玉が特定可能な状態で払出釦１５が押下されると、その貯玉に基づいて貸玉を玉排出用ノズル１６から払出して売上信号を出力する。
（３）カードを受付けた状態で返却釦１７が押下されると、受付中のカードをカード挿入口１４から排出する。
（４）遊技機１の遊技領域である盤面７の中心、即ち、遊技者の顔面位置の高さと同程度の高さ位置で水平方向に回動可能に情報表示部１８が設けられており、貸出情報や対応する遊技機１に関する各種の遊技情報等を情報表示部１８にて表示する。
（５）玉排出用ノズル１６の上方にＣＣＤカメラ１９（本発明でいう識別情報取得手段に相当、以下、単にカメラと称する）が内蔵されている。カメラ１９は、対応する遊技者の顔を中心とした上半身を斜め前方から撮像して顔データを作成する。カメラ１９の水平方向の視野はレンズの光軸を中心として１２０度であるが、実際の視野は周囲壁面により遊技者方向に対して８０度となるように規制されている。又、カメラ１９の前面にはスモークプレート（図示せず）が設けられており、遊技者からカメラ１９が隠蔽されている。
【００２２】
さて、本実施形態では、貸出装置２は、カメラ１９により遊技者の顔を認証して顔データを作成する顔認証処理を行う。以下、貸出装置２が行う顔認証処理について、図２を参照して説明する。
【００２３】
貸出装置２は、顔認証処理を開始すると、カメラ１９の電源がオンであるか否かを判定する（Ａ１）。貸出装置２は、カメラ１９の電源がオンであると判定すると（Ａ１：ＹＥＳ）、タイマ（本実施形態では４秒のタイマ時間）の作動を開始し（Ａ２）、遊技者の顔を検出したか否かを判定する（Ａ３）。
【００２４】
ここで、遊技者が遊技機１の正面に配置されている椅子に着座すると、カメラ１９の撮像範囲に遊技者の上半身が位置することで、カメラ１９は遊技者の顔を検出する。貸出装置２は、カメラ１９が遊技者の顔を検出したと判定すると（Ａ３：ＹＥＳ）、遊技者の顔を検出した（未検出でない）ことを示すべく未検出カウンタをクリアし（Ａ４）、その時点で顔認証フラグに「０」を設定しているか否か、即ち、それまでに遊技者の顔を検出していなかったか否かを判定する（Ａ５）。
【００２５】
貸出装置２は、顔認証フラグに「０」を設定している、即ち、それまでに遊技者の顔を検出していなかったと判定すると（Ａ５：ＹＥＳ）、遊技者の顔を撮像し（Ａ６）、その撮像した画像の信頼度が規定値以上であるか否かを判定する（Ａ７）。ここでいう信頼度とは遊技者を撮像した画像に基づいて顔データを作成可能であるか否かを数値化したものであり、貸出装置２は、信頼度が規定値未満である、即ち、遊技者の顔データを作成可能でないと判定すると（Ａ７：ＮＯ）、タイマがタイムアップしたか否かを判定する（Ａ１３）。
【００２６】
一方、貸出装置２は、信頼度が規定値以上である、即ち、遊技者の顔データを作成可能であると判定すると（Ａ７：ＹＥＳ）、遊技者の顔を検出したことを示すべく顔認証フラグに「１」を設定し（Ａ８）、遊技者の顔データを作成する（Ａ９）。遊技者の顔データとは、遊技者の上半身の特徴、特に顔の特徴点である顔の目、眉毛、鼻、口等を抽出し、それら特徴点の互いの位置関係に基づいて遊技者の外観を特定する情報である。
【００２７】
次いで、貸出装置２は、既に記録した顔データが無いか否かを判定する（Ａ１０）。貸出装置２は、対応する遊技機１で当日に遊技する最初の遊技者であり、既に記録した顔データが無いと判定すると（Ａ１０：ＹＥＳ）、今回の作成した遊技者の顔データを記録し（Ａ１１）、今回の作成した遊技者の顔データを管理装置３へ出力する（Ａ１２）。貸出装置２は、以上の動作を行うことにより、遊技者が着座すると、遊技者の顔データを作成して管理装置３へ出力する。
【００２８】
貸出装置２は、遊技者の顔データを管理装置３へ出力した後に、タイマがタイムアップした（タイマの作動を開始してから４秒が経過した）と判定すると（Ａ１３：ＹＥＳ）、上記したステップＡ２へ戻り、次の撮像を行うが、顔認証フラグに「０」を設定していない（「１」を設定している）と判定すると（Ａ５：ＮＯ）、ステップＡ１３へと移行し、タイマがタイムアップする毎に上記した処理を繰返して行う。即ち、貸出装置２は、遊技者が着席したままであったり（離席しなかったり）遊技者の姿勢が大きく変化しなかったりすることで遊技者の顔を検出している限りは、管理装置３へと一旦出力した顔データを管理装置３へ再度出力しない。
【００２９】
一方、貸出装置２は、遊技者が離席したり遊技者の姿勢が大きく変化したりして遊技者の顔を検出しなくなったと判定すると（Ａ３：ＮＯ）、顔認証フラグに「１」を設定しているか否かを判定する（Ａ１６）。この場合、貸出装置２は、顔認証フラグに「１」を設定していると判定すると（Ａ１６：ＹＥＳ）、未検出カウンタをインクリメントし（Ａ１７）、更に未検出カウンタが「２」でないと判定すると（Ａ１８：ＮＯ）、ステップＡ１３へと移行し、タイマがタイムアップする毎に上記した処理を繰返して行う。
【００３０】
貸出装置２は、上記した処理を繰返して行うことで、未検出カウンタが「２」であると判定すると（Ａ１８：ＹＥＳ）、顔認証フラグに「０」を設定し（Ａ１９）、離席信号を管理装置３へ出力し（Ａ２０）、ステップＡ１３へと移行する。即ち、貸出装置２は、遊技者の顔を検出しない期間が８秒継続すると、遊技者が離席したことを示すべく離席信号を管理装置３へ出力する。
【００３１】
又、貸出装置２は、当日に同一の遊技者又は次の遊技者が椅子に着座し、既に記録した顔データが有ると判定すると（Ａ１０：ＮＯ）、今回の作成した顔データと既に記録した顔データとの誤差が規定値の範囲内であるか否かを判定する（Ａ１４）。ここでいう規定値とは２つの顔データに基づいて同一人物であると見做し得るか否かを数値化したものであり、貸出装置２は、今回の作成した顔データと既に記録した顔データとの誤差が規定値の範囲内でない（範囲外である）、即ち、同一人物であると見做し得ないと判定すると（Ａ１４：ＮＯ）、今回の作成した顔データへと書換え（Ａ１５）、今回の作成した顔データ（同一人物でない新たな顔データ）を管理装置３へ出力する（Ａ１２）。一方、貸出装置２は、今回の作成した顔データと既に記録した顔データとの誤差が規定値の範囲内である、即ち、同一人物であると見做し得ると判定すると（Ａ１４：ＹＥＳ）、今回の作成した顔データへと書換えないが、今回の作成した顔データ（同一人物である新たな顔データ）を管理装置３へ出力する（Ａ１２）。
【００３２】
管理装置３は、ＣＰＵ、ＲＯＭ、ＲＡＭ、Ｉ／Ｏを有する制御部、各種信号を入出力する入出力部、モニタ及びプリンタ等からなる出力部等を備えて構成されている。管理装置３は、貸出装置２が上記した顔認証処理を行うことで出力した顔データを中継装置４を介して入力し、その入力した顔データをｊｐｅｇデータとして記憶し、図４に示す当日辞書を作成する。管理装置３は、当日辞書には、遊技履歴作成中に当日初めて検出した遊技者の顔データを順に当日遊技者ＩＤ（ｔｎ（ｎは正数））を割当てて記憶する。但し、その遊技履歴作成中において既に別の顔データを入力していた場合には、その顔データと同一の当日遊技者ＩＤと対応付けて記憶する。
【００３３】
又、管理装置３は、閉店後のバッチ処理にて当日辞書のデータに基づいて図５に示す総合辞書を作成する。具体的には、管理装置３は、当日辞書の顔データ（１人の遊技者に対して複数の顔データがある場合には当日の最初に記憶した顔データ）の中に総合辞書に無い顔データがあれば、総合遊技者ＩＤ（ｓｎ（ｎは正数））を割当てて記憶する。この場合、管理装置３は、総合辞書を作成するに際しては、処理負担軽減及び他人を同一人物と判定してしまう誤判定防止のために、当日辞書を作成する際のように１人の遊技者に対して複数の顔データを対応付けて記憶することはしない。又、管理装置３は、総合辞書において、前月の来店日数が所定日数（例えば５日）以上の遊技者を常連客とし、それ以外の遊技者をライト客として区分する。
【００３４】
又、管理装置３は、遊技機１側から出力される遊技信号を中継装置４を介して入力し、遊技機１毎の遊技履歴（アウト、セーフ、差玉、図柄変動回数、特賞回数等の遊技データ）を作成する。管理装置３は、遊技機１側から出力されるアウト信号、セーフ信号、スタート信号の何れかの信号を入力してから何れの信号を入力しなくなった後に２０秒が経過するまでのデータを１回の遊技データとして作成する。以下、管理装置３が行う遊技履歴作成処理について、図３を参照して説明する。
【００３５】
管理装置３は、遊技履歴作成処理を開始すると、遊技機１側から遊技信号を入力したか否かを判定し（Ｂ１）、貸出装置２から顔データを入力したか否かを判定する（Ｂ２）。管理装置３は、遊技機１側から遊技信号を入力したと判定すると（Ｂ１：ＹＥＳ）、その入力した遊技信号に基づいて遊技履歴を更新する（Ｂ３）。又、管理装置３は、貸出装置２から顔データを入力したと判定すると（Ｂ２：ＹＥＳ）、遊技履歴を作成中であるか否かを判定し（Ｂ４）、遊技履歴を作成中であると判定すると（Ｂ４：ＹＥＳ）、当日辞書を更新し（Ｂ５）、その顔データの遊技者の当日遊技者ＩＤを遊技履歴に対応付け、遊技履歴を更新する（Ｂ３）。
【００３６】
さて、管理装置３は、上記したように遊技機１毎の遊技履歴を作成すると共に、総合辞書を作成することで、遊技機１毎の遊技履歴と総合遊技者ＩＤとを対応付けて記憶し、複数日に渡って機種毎に遊技者毎の遊技頻度を判定し、その判定した遊技頻度に応じて機種毎に遊技者を区分して集計することで、機種毎の固定客数や固定客割合等を図６に示す固定客数データとして算出して出力する。固定客数データにおける各項目は次の通りである。
【００３７】
「平均アウト」：機種毎の前週の平均アウトである。
「固定客数」：前月の固定客数である。固定客とは、図７に示す機種Ｂの固定客データ（前月累計アウト上位順）に示すように、前月累計アウトが所定値以上に達した遊技者であり、図７では所定値を例えば「２０万」とすると、総合遊技者ＩＤ「ｓ１４８」の遊技者と、総合遊技者ＩＤ「ｓ６０」の遊技者である。
【００３８】
「台数」：その機種の設置台数である。
「固定客割合」：「台数」に対する「固定客数」の割合であり、「固定客数」÷「台数」の演算式により求める。
「固定客増減数」：前々月から前月にかけての「固定客数」の増減である。「＋」は増であり、「−」は減である。
「減少固定客ＩＤ」：前々月から前月にかけての減少した固定客の遊技者ＩＤである。
【００３９】
管理装置３は、減少固定客ＩＤがある場合には、図８に示すように、その減少固定客ＩＤに対応する遊技者ＩＤの遊技者別増加アウトを算出して出力する。図８（ａ）は、「機種Ｃ」の減少固定客である遊技者ＩＤ「１５２」の遊技者の増加アウトを示しており、前々月から前月にかけて「機種Ｄ」及び「機種Ｅ」での累計アウトが増加していることで、遊技者ＩＤ「１５２」の遊技者が、前々月から前月にかけて「機種Ｃ」に代わって「機種Ｄ」及び「機種Ｅ」で頻繁に遊技している、即ち、遊技の趣向が「機種Ｃ」から「機種Ｄ」及び「機種Ｅ」へと変化したことが判る。又、図８（ｂ）は、「機種Ａ」の減少固定客である遊技者ＩＤ「８３」の遊技者の増加アウトを示しており、前月の累計アウトが「０」であることで、遊技者ＩＤ「８３」の遊技者が、前々月から前月にかけて「機種Ａ」で遊技しなくなり、しかも、他の機種でも遊技しなくなった、即ち、来店しなくなったことが判る。尚、管理装置３は、図６に示す固定客数データにおいて、固定客数が所定値となったときに警告表示を行うようにしても良い。即ち、図６では所定値を例えば「０」とすると、固定客数が「０」である「機種Ｃ」を対象として警告表示を行うようにしても良い。
【００４０】
又、管理装置３は、前月の累計アウトが高い稼動貢献客の例えば上位の所定人数（例えば３０人）を抽出して図９に示す稼動貢献客一覧として出力したり、前月の収支のマイナスが大きい利益貢献客の例えば上位の所定人数（例えば３０人）を抽出して図１０に示す利益貢献客一覧として出力したりしても良い。又、上位の所定人数ではなく、前月の累計アウトが所定値以上である全ての遊技者を稼動貢献客として出力したり、前月の収支のマイナスが所定値以上である全ての遊技者を利益貢献客として出力したりしても良い。尚、ここでいう収支とは、「交換玉数」×「交換単価」−「売上」の演算式により求める。稼動貢献客一覧を出力することで、前月の累計アウトが高い遊技者を特定することができ、利益貢献客一覧を出力することで、前月の収支のマイナスが大きい遊技者を特定することができる。
【００４１】
更に、管理装置３は、稼動貢献客の特定の機種についての前月の累計アウトが所定値（例えば「１０万」）以上である場合に、その遊技者が好む機種と判定することで、稼動貢献客に人気の機種（イベント等でも可）をその稼動貢献客の人数と共に図１１に示す稼動貢献客人気機種としてランキング形式で出力しても良い。同様に、利益貢献客の特定の機種についての前月の累計アウトが所定値以上である場合に、利益貢献客に人気の機種をその利益貢献客の人数と共に図１２に示す利益貢献客人気機種としてランキング形式で出力しても良い。稼動貢献客人気機種や利益貢献客人気機種を出力することで、稼動貢献客や利益貢献客の趣向を特定することができ、例えば稼動貢献客や利益貢献客に的を絞ったイベントを行うことができる。
【００４２】
ところで、以上は、貸出装置２に設けられたカメラ１９を利用することで、カメラ１９が撮像した画像に基づいて遊技者を識別するようにしたが、会員カード１３等の識別情報記録媒体に基づいて遊技者を識別するようにしても良い。即ち、遊技者が遊技機１で遊技する際に会員カード１３を貸出装置２のカード挿入口１４に挿入したことで、会員カード１３が貸出装置２に受付けられると、貸出装置２は、その受付けた会員カード１３から当該遊技者を特定可能な遊技者ＩＤを読取って管理装置３へ出力し、管理装置３は、貸出装置２から入力した遊技者ＩＤに基づいて遊技者を識別し、遊技機１毎の遊技履歴と遊技者ＩＤとを対応付けて記憶し、複数日に渡って機種毎に遊技者毎の遊技頻度を判定し、その判定した遊技頻度に応じて機種毎に遊技者を区分して集計することで、上記した図６に示した固定客数データ等を算出して出力しても良い。即ち、会員カード１３等の識別情報記録媒体に基づいても遊技者を識別することが可能である。又、カメラ１９が撮像した画像に基づいて遊技者を識別する処理と、会員カード１３等の識別情報記録媒体に基づいて遊技者を識別する処理とを併用することも可能である。
【００４３】
以上に説明したように本実施形態によれば、管理装置３において、複数日に渡って機種毎に遊技者毎の遊技頻度を判定し、その判定した遊技頻度に応じて機種毎に遊技者を区分し、その区分した区分毎に遊技者の人数を集計して出力するようにしたので、機種毎の固定客数（特定の機種を好んで遊技する遊技者の人数）を把握することができ、撤去候補の機種を分析するに際して必要な情報を提供することができる。
【００４４】
又、貸出装置２にカメラ１９を設け、カメラ１９が遊技者を撮像した画像に基づいて遊技者を識別するようにしたので、例えば会員カード１３等の識別情報記録媒体を所有しない遊技者をも識別対象とすることができると共に、例えば指紋や静脈に基づいて遊技者を識別する場合とは異なり、遊技者の意図とは関係なく遊技者を識別することができる。又、カメラ１９を遊技者から隠蔽するようにしたので、遊技場側にて遊技者を識別していることを遊技者に意識させなくすることもでき、遊技者を不快にさせることなく、遊技者を識別することができる。一方、会員カード１３等の識別情報記録媒体から遊技者ＩＤを読出して遊技者を識別するようにすれば、上記したカメラ１９を設ける必要がなく、しかも、複雑な画像処理を行う必要もなく、安価な構成で且つ簡単な処理で実現することができる。
【００４５】
本発明は、上記した実施形態にのみ限定されるものではなく、以下のように変形又は拡張することができる。
対象となる遊技機としてはパチンコ機に限らずスロットマシン等であっても良い。
遊技者を識別する方法としては、遊技者を撮像した画像や会員カード１３に基づいて識別することに限らず、会員カード１３以外の記録媒体として会員コインやフェリカ機能を有する携帯電話機等に基づいて識別しても良く、どのような記録媒体を用いても良い。又、記録媒体から遊技者を特定可能なＩＤを読出す方式として接触式に限らず、非接触式（Bluetooth(登録商標)通信や赤外線通信等）であっても良い。更に、ＩＤとしては指紋や虹彩等の生体認証を採用しても良い。
【００４６】
前月累計アウトが所定値以上に達した遊技者を固定客として定義することに限らず、例えば単位期間あたりの累計売上、累計遊技時間、累計遊技日数等の他の指標を用いて固定客を定義しても良い。
【００４７】
管理装置３が行う情報処理の一部を貸出装置２や中継装置４が行う構成としても良いし、貸出装置２が行う情報処理の一部を管理装置３や中継装置４が行う構成としても良い。
遊技機１は、遊技媒体そのものを遊技者に払出すパチンコ遊技機が含まれるだけでなく、クレジット等のようにデータとして使用可能な遊技媒体を記憶するパチンコ遊技機も含まれる。即ち、遊技者が使用可能な遊技媒体を仮想遊技媒体として貯留記憶するパチンコ遊技機であっても良く、例えば所定数のパチンコ玉（封入玉）を封入しておき、操作ハンドル６が操作されたことにより盤面７に発射された封入玉を再び回収して発射装置に導くことで、封入玉を循環使用して遊技を行う構成の所謂封入式遊技機であっても良い。
【符号の説明】
【００４８】
図面中、１は遊技機、２は貸出装置（識別情報読出手段）、３は管理装置（識別情報記憶手段、遊技データ算出手段、遊技データ記憶手段、同一人物判定手段、機種別遊技頻度判定手段、機種別遊技頻度区分手段、集計手段、出力手段、報知手段）、１３は会員カード（識別情報記録媒体）、１９はＣＣＤカメラ（識別情報取得手段）である。
【図１】
0005813970.tif 000002
【図２】
0005813970.tif 000003
【図３】
0005813970.tif 000004
【図４】
0005813970.tif 000005
【図５】
0005813970.tif 000006
【図６】
0005813970.tif 000007
【図７】
0005813970.tif 000008
【図８】
0005813970.tif 000009
【図９】
0005813970.tif 000010
【図１０】
0005813970.tif 000011
【図１１】
0005813970.tif 000012
【図１２】
0005813970.tif 000013